【事件の表示】
　平成１１年特許願第　３３７４０号「フォトフィニッシング方法およびシステム並びに記録媒体」拒絶査定不服審判事件〔平成１２年　８月２２日出願公開、特開２０００−２３２６１８〕について、次のとおり審決する。
【結　論】
　本件審判の請求は、成り立たない。
【理　由】
【第１】経緯（手続・査定・当審拒絶理由通知等）
　
［１］手続の概要
　
　本願は、平成１１年２月１２日の出願であって、手続きの概要は以下のとおりである。
　
　拒絶理由通知　　　　　　：平成１９年　３月　２日（起案日）
　意見書　　　　　　　　　：平成１９年　５月１０日
　手続補正　　　　　　　　：平成１９年　５月１０日
　拒絶査定　　　　　　　　：平成１９年　５月２９日（起案日）
　拒絶査定不服審判請求　　：平成１９年　７月　５日
　手続補正　　　　　　　　：平成１９年　７月１３日
　前置報告　　　　　　　　：平成１９年１１月２６日（起案日）
　審尋　　　　　　　　　　：平成２１年１０月１３日（起案日）
　回答書　　　　　　　　　：平成２１年１２月２１日
　補正却下の決定　　　　　：平成２２年　３月１７日（起案日）
　　（平成１９年７月１３日の手続補正の却下）
　当審拒絶理由通知　　　　：平成２２年　３月１７日（起案日）
　意見書　　　　　　　　　：平成２２年　５月１２日
　手続補正　　　　　　　　：平成２２年　５月１２日
　　
［２］拒絶査定
　
　原査定の理由は、概略、以下のとおりである。
　
　〈査定の理由〉
　本願の各請求項に係る発明は、下記刊行物（引用例）に記載された発明に基づいて当業者が容易に発明をすることができたものであるから、特許法第２９条第２項の規定により、特許を受けることができない。
　　　　　記
引用例１：特開平１０−０８４５５５号公報
引用例２：特開平１１−０３２３４９号公報
　
［３］特許請求の範囲（平成１９年５月１０日補正）
　平成１９年５月１０日補正による、特許請求の範囲は以下のとおりである。
　
　《特許請求の範囲（平成１９年５月１０日補正）》
　
　【請求項１】　異なる分光感度を有する複数種類の光電変換素子を単一面上に配置した撮像デバイスを有する撮像手段により得られた
、モニタに再生することを前提とした画像処理が未処理の
　該記録媒体に記録された前記生撮像データを読出し、該生撮像データに対してプリントに必要な画像処理を施して処理済みデータを得、
　該処理済みデータをプリントすることを特徴とするフォトフィニッシング方法。
　　【請求項２】　異なる分光感度を有する複数種類の光電変換素子を単一面上に配置した撮像デバイスを有する撮像手段と、
　該撮像手段により得られた
、モニタに再生することを前提とした画像処理が未処理の
　該記録媒体に記録された前記生撮像データを読出し、該生撮像データに対してプリントに必要な画像処理を施して処理済みデータを得る画像処理手段と、
　該画像処理手段において得られた処理済みデータをプリントするプリント手段とを備えたことを特徴とするフォトフィニッシングシステム。
　　【請求項３】　異なる分光感度を有する複数種類の光電変換素子を単一面上に配置した撮像デバイスを有する撮像手段と、
　該撮像手段により得られた
、モニタに再生することを前提とした画像処理が未処理の
　　【請求項４】　請求項３記載のデジタルカメラにおいて前記記録媒体に記録された前記生撮像データを読出し、該生撮像データに対してプリントに必要な画像処理を施して処理済みデータを得る画像処理手段と、
　該画像処理手段において得られた処理済みデータをプリントするプリント手段とを備えたことを特徴とするプリンタ。
　　【請求項５】　請求項３記載のデジタルカメラにおいて前記記録媒体に記録された前記生撮像データを読出し、該生撮像データに対してプリントに必要な画像処理を施して処理済みデータを得る画像処理手段を備えたことを特徴とする画像処理装置。
　　【請求項６】　請求項３記載のデジタルカメラにおいて前記記録媒体に記録された前記生撮像データを読出す手順と、
　該生撮像データに対してプリントに必要な画像処理を施して処理済みデータを得る手順と、
　該処理済みデータをプリントする手順とをコンピュータに実行させるためのプログラムを記録したコンピュータ読取り可能な記録媒体。
　　【請求項７】　請求項３記載のデジタルカメラにおいて前記記録媒体に記録された前記生撮像データを読出す手順と、
　該生撮像データに対してプリントに必要な画像処理を施して処理済みデータを得る手順とをコンピュータに実行させるためのプログラムを記録したコンピュータ読取り可能な記録媒体。
　
［４］当審拒絶理由通知
　
　当審が平成２２年３月１７日付けで通知した拒絶の理由の概略は、以下のとおりである。
　なお、平成２２年５月１２日付け手続補正により、請求項３が削除され同補正前の請求項４〜７は、同補正後の請求項３〜６にそれぞれ対応するものである。
　
　　〈当審が通知した拒絶の理由〉
　
　本願出願は、以下に示す理由Ａ及び理由Ｂにより、特許を受けることができない。
　
　《理由Ａ（２９条１項３号、２９条２項）》
　
　
ア　２９条１項３号
　本願の請求項３に係る発明（本願発明３）は、その出願前日本国内または外国において頒布された下記刊行物１〜３のいずれかに記載された発明であるから、特許法第２９条第１項第３号に該当し、特許を受けることができない。
　本願の請求項１，２，４〜７に係る発明（本願発明１，２，４〜７）は、その出願前日本国内または外国において頒布された下記刊行物２または３のいずれかに記載された発明であるから、特許法第２９条第１項第３号に該当し、特許を受けることができない。
　                                　
　
イ　２９条第２項
　本願の請求項１〜７に係る各発明（本願発明１〜７）は、その出願前日本国内または外国において頒布された下記刊行物１〜６に記載された発明に基づいて、その出願前にその発明の属する技術の分野における通常の知識を有する者が容易に発明をすることができたものであるから、特許法第２９条第２項の規定により特許を受けることができない。
　
　　　　　　記（引用刊行物一覧）
　刊行物１：特開平６−９０４３５号公報
　刊行物２：特開平６−９８３４９号公報
　刊行物３：特開平６−１２５４８８号公報
　
　刊行物４：特開平１０−２００９０６号公報
　刊行物５：特開平６−１９７３７１号公報
　刊行物６：特開平１１−３２３４９号公報
　
　《理由Ｂ（２９条の２）》
　　
　この出願の請求項１〜７に係る各発明（本願発明１〜７）は、いずれも、その出願の日前の特許出願であって、その出願後に出願公開がされた下記の特許出願の願書に最初に添付された明細書又は図面（以下、「先願明細書」という）に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない
　
 　　　　　記 
　出願：特願平０９−２６６６１３号（特開平１１−１１２９３２号）
　
［５］当審拒絶理由通知に対する補正
　
　当審拒絶理由通知に対してする平成２２年５月１２日補正による、特許請求の範囲は以下の通りである。
　
　《特許請求の範囲（平成２２年５月１２日補正）》
　　【請求項１】　異なる分光感度を有する複数種類の光電変換素子を単一面上に配置した撮像デバイスを有する撮像手段により得られた、モニタに再生することを前提とした画像処理が未処理の
、各色成分の画素位置が異なる
　該記録媒体に記録された前記生撮像データを読出し、該生撮像データに対してプリントに必要な画像処理を施して処理済みデータを得、
　該処理済みデータをプリントすることを特徴とするフォトフィニッシング方法。
　　【請求項２】　異なる分光感度を有する複数種類の光電変換素子を単一面上に配置した撮像デバイスを有する撮像手段と、
　該撮像手段により得られた、モニタに再生することを前提とした画像処理が未処理の
、各色成分の画素位置が異なる
　該記録媒体に記録された前記生撮像データを読出し、該生撮像データに対してプリントに必要な画像処理を施して処理済みデータを得る画像処理手段と、
　該画像処理手段において得られた処理済みデータをプリントするプリント手段とを備えたことを特徴とするフォトフィニッシングシステム。
　　【請求項
３
異なる分光感度を有する複数種類の光電変換素子を単一面上に配置した撮像デバイスを有する撮像手段と、該撮像手段により得られた、モニタに再生することを前提とした画像処理が未処理の、各色成分の画素位置が異なる生撮像データを記録媒体に記録する記録手段とを備えた
　該画像処理手段において得られた処理済みデータをプリントするプリント手段とを備えたことを特徴とするプリンタ。
　　【請求項
４
異なる分光感度を有する複数種類の光電変換素子を単一面上に配置した撮像デバイスを有する撮像手段と、該撮像手段により得られた、モニタに再生することを前提とした画像処理が未処理の、各色成分の画素位置が異なる生撮像データを記録媒体に記録する記録手段とを備えた
　　【請求項
５
異なる分光感度を有する複数種類の光電変換素子を単一面上に配置した撮像デバイスを有する撮像手段と、該撮像手段により得られた、モニタに再生することを前提とした画像処理が未処理の、各色成分の画素位置が異なる生撮像データを記録媒体に記録する記録手段とを備えた
　該生撮像データに対してプリントに必要な画像処理を施して処理済みデータを得る手順と、
　該処理済みデータをプリントする手順とをコンピュータに実行させるためのプログラムを記録したコンピュータ読取り可能な記録媒体。
　　【請求項
６
異なる分光感度を有する複数種類の光電変換素子を単一面上に配置した撮像デバイスを有する撮像手段と、該撮像手段により得られた、モニタに再生することを前提とした画像処理が未処理の、各色成分の画素位置が異なる生撮像データを記録媒体に記録する記録手段とを備えた
　該生撮像データに対してプリントに必要な画像処理を施して処理済みデータを得る手順とをコンピュータに実行させるためのプログラムを記録したコンピュータ読取り可能な記録媒体。　
　
　〈補正前後の請求項の対応関係〉
　平成２２年５月１２日補正後の特許請求の範囲の請求項１，２，３，４，５，６は、それぞれ、同補正前特許請求の範囲（平成１９年５月１０日補正による特許請求の範囲、上記［３］）の請求項１，２，４，５，６，７に対応するものである。すなわち、同補正前の請求項３は削除された。　
　
　
【第２】本願発明
　
　本願の請求項１から請求項６までに係る発明は、本願明細書および図面（平成１９年５月１０日付け、および平成２２年５月１２日付けの各手続補正書により補正された明細書および図面）の記載からみて、それぞれ、その特許請求の範囲の請求項１から請求項６までに記載したとおりのものであるところ、そのうち、請求項１，請求項４に係る発明（それぞれ、本願発明１，本願発明４ともいう）は、下記のとおりである。
　
　　　　　記（本願発明１（【請求項１】）、再掲）
　異なる分光感度を有する複数種類の光電変換素子を単一面上に配置した撮像デバイスを有する撮像手段により得られた、モニタに再生することを前提とした画像処理が未処理の、各色成分の画素位置が異なる生撮像データを記録媒体に記録し、
　該記録媒体に記録された前記生撮像データを読出し、該生撮像データに対してプリントに必要な画像処理を施して処理済みデータを得、
　該処理済みデータをプリントすることを特徴とするフォトフィニッシング方法。
　
　　　　　記（本願発明４（【請求項４】）、再掲）
　異なる分光感度を有する複数種類の光電変換素子を単一面上に配置した撮像デバイスを有する撮像手段と、該撮像手段により得られた、モニタに再生することを前提とした画像処理が未処理の、各色成分の画素位置が異なる生撮像データを記録媒体に記録する記録手段とを備えたデジタルカメラにおいて前記記録媒体に記録された前記生撮像データを読出し、該生撮像データに対してプリントに必要な画像処理を施して処理済みデータを得る画像処理手段を備えたことを特徴とする画像処理装置。
　
【第３】当審の判断
　
【第３-１】本願発明１について（進歩性判断）
　
［１］刊行物の記載
　当審の拒絶の理由（理由Ａの「イ　
２９条第２項
　
　（１）刊行物１：特開平６−９０４３５号公報の記載
　
　〈請求項１〉
　(K0)「【請求項１】  記録媒体に非圧縮形式及び１以上の所定圧縮形式で記録される撮像生情報及び所定形式の撮影画像情報を再生する装置であって、当該記録媒体から読み出す画像情報の記録形式を判別する判別手段と、当該１以上の所定圧縮形式に応じた伸長手段と、当該伸長手段の出力を所定画素量に間引く第１の間引き手段と、当該記録媒体から読み出した撮像生情報を所定画素量に間引く第２の間引き手段と、当該第１及び第２の間引き手段の出力画像を記憶する画像メモリ手段とからなり、当該画像メモリ手段に記憶される画像を映像表示用に出力することを特徴とする画像再生装置。」
　
　〈産業上の利用分野〉 　 
　(K1)「【０００１】
【産業上の利用分野】本発明は、画像再生装置に関し、より具体的には、１００万画素以上の高解像度撮像素子により撮影された画像の再生装置に関する。」
　
　〈従来の技術〉
　(K2)「【０００２】
【従来の技術】電子スチル・カメラは、当初、アナログ記録であったが、コンピュータ及びその画像処理能力の向上とハード・ディスク装置や固体メモリ装置の記録容量の増大により、ディジタル記録が利用されるようになった。
【０００３】更には、高品位テレビジョン方式の開発及び実用化に刺激され、印刷や報道用に高品位の静止画記録装置が要求され、１００万画素以上の高解像度ＣＣＤ撮像素子も実用化されようとしている。」
　
　《図２　ディジタル・スチル・カメラの従来例》
　(K3)「【０００４】図２は、１００万画素以上の画素数を有する高解像度撮像素子を使用するディジタル・スチル・カメラの従来例の概略構成ブロック図を示す。２０万乃至４０万程度の画素数の撮像素子を使用するディジタル・スチル・カメラとの相違点は、撮像素子の画素数の多さを活かして、再生時に細かい色補正などを行なえるように、撮像素子の出力データをそのまま記録媒体に記録できるようにした点である。
【０００５】図２において、１０は、水平１３００画素程度、垂直１０００画素程度の画素数を有する高解像度撮像素子であり、その出力はＡ／Ｄ変換器１２によりディジタル信号に変換されてバッファ・メモリ１４に格納される。バッファ・メモリ１４の出力は、γ補正、ホワイト・バランス及び輝度（Ｙ）／色差（Ｃ）変換などのカメラ信号処理を行なうカメラ・プロセス回路１６と、スイッチ２０のａ接点に印加される。圧縮回路１８は、例えばＪＰＥＧ方式ベースライン処理などの非可逆圧縮方式の回路であり、カメラ・プロセス回路１６の出力を１／２０〜１／５０程度にデータ圧縮し、その出力はスイッチ２０のｂ接点に印加される。
【０００６】スイッチ２０は、バッファ・メモリ１４の出力又は圧縮回路１８の出力を選択して記録媒体２２に印加する。記録媒体２２はハード・ディスク装置、フラッシュ・メモリ装置などからなる。
【０００７】撮像素子１０の出力データそのもの、即ち、撮像生データを記録媒体２２に記録する時には、スイッチ２０はａ接点に接続し、カメラ処理したＹ／Ｃデータの圧縮データを記録するときには、スイッチ２０はｂ接点に接続する。勿論、前者の場合、撮像生データであることを示す情報がヘッダとして一緒に記録媒体２２に記録され、後者の場合には、圧縮Ｙ／Ｃデータであることを示す情報がヘッダとして一緒に記録媒体２２に記録される。後者の場合更に、画像番号、撮影条件などの識別情報、及び圧縮時の情報などもヘッダに含めて記録されることがある。」
　
　《再生装置》
　(K4)「【０００８】図３は、このように記録媒体２２に記録した情報を、コンピュータに転送し、及び高品位モニタに再生出力する再生装置の概略構成ブロック図を示す。
【０００９】記録媒体２２から読み出された情報は、入力インターフェース２４を介して、画像データ部分がバッファ・メモリ２６に、ヘッダ情報がＣＰＵ３０に転送される。ＣＰＵ３０は入力するヘッダにより、撮像生データか又は圧縮Ｙ／Ｃデータかを判別でき、その判別結果に応じてメモリ制御回路２８及びその他の回路を制御する。
【００１０】撮像生データの場合、ＣＰＵ３０はスイッチ３２をａ接点に切り換え、バッファ・メモリ２６に記憶されるデータをスイッチ３２を介して出力インターフェース３４に転送する。出力インターフェース３４は、γ補正、ホワイト・バランス調整及びＲＧＢ変換などを行なうコンピュータに接続する。
【００１１】圧縮Ｙ／Ｃデータの場合、バッファ・メモリ２６に記憶されるデータを伸長回路３６に読み出す。伸長回路３６は圧縮回路１８の圧縮処理に対応する伸長処理を施してＹ／Ｃデータを復元する。ＲＧＢ変換回路３８は伸長回路３６の出力をＲＧＢ形式に変換し、画像メモリ４０に一旦、格納する。
【００１２】ＣＰＵ３０がスイッチ３２をｂ接点に接続すると、画像メモリ４０に格納された画像データを、スイッチ３２を介して出力インターフェース３４に読み出すことができ、外部のコンピュータ等に転送できる。
【００１３】画像メモリ４０に格納された画像データはまた、読み出されてＤ／Ａ変換器４２に印加される。Ｄ／Ａ変換器４２はディジタルＲＧＢ信号をアナログＲＧＢ信号に変換し、その出力はドライバー回路４４及び出力端子４６を介して外部に出力される。出力端子４６には、例えば、高解像度カラー・モニタを接続する。これにより、記録画像をその場で再生表示し、確認できる。」
　
　〈発明が解決しようとする課題、目的〉　
　(K5)「【００１４】
【発明が解決しようとする課題】従来例では、屋外で撮影した画像をその場で確認しようとすると、高解像度カラー・モニタを用意しなければならず、大掛かりな装置構成になってしまい、簡単ではない。
【００１５】本発明は、高品位の撮影画像を簡易に確認できる画像再生装置を提示することを目的とする。」
　
　〈実施例〉
　(K6) 「【００２１】
【実施例】以下、図面を参照して本発明の実施例を説明する。
【００２２】図１は、本発明の一実施例の概略構成ブロック図を示す。
【００２３】図１において、５０は、図２に示すカメラで撮影された撮像生データ及び／又はＹ／Ｃ圧縮データを記録する記録媒体、５２は記録媒体５０とのデータ及び制御信号のインターフェースである。記録媒体５０から読み出されたデータはインターフェース５２へシリアル転送される。
【００２４】インターフェース５２は、内部にシリアル・パラレル変換回路を具備し、図４に示すように、シリアル・データをパラレル・データに変換し、シリアル・データＤｓとパラレル・データＤｐをデータ・セレクタ５４に出力する。このシリアル・パラレル変換の際に、１０ビット・データの下位２ビットを捨て、８ビット・データとする。
【００２５】データ・セレクタ５４は、インターフェース５２からのパラレル・データＤｐをデータ・バス５６を介して画像メモリ５８に、シリアル・データＤｓを伸長回路６０に振り分けると共に、撮像生データの場合に所定の間引きを行なう。伸長回路６０は圧縮回路１８の圧縮符号化に対応する復号化処理を行なう回路である。６２は伸長回路６０の出力から所定画素値を間引く間引き回路であり、その出力はデータ・バス５６を介して画像メモリ５８に接続する。６４は画像メモリ５６の書込み及び読出しを制御するメモリ制御回路である。本実施例では、画像メモリ５８には輝度データのみを所定の低解像度で格納する。
【００２６】６６は画像メモリ５６から読み出された輝度データをアナログ信号に変換するＤ／Ａ変換器、６８はＤ／Ａ変換器６６の出力画像信号をモノクロ多階調表示する液晶表示装置（ＬＣＤ）、７０は全体を制御するＣＰＵ、７２はＣＰＵ７０の制御下でＤ／Ａ変換器６６及びＬＣＤ６８に所定の同期クロック信号を供給する同期信号発生回路、７４は各部に電力を供給するバッテリである。」
　
　《撮像素子、記録媒体５０に記録態様》
　(K7)「【００２７】記録媒体５０に撮影画像を記録するカメラの高解像度撮像素子のカラー・フィルタ配置が、図５に示す構造であるとする。即ち、マゼンタ（Ｍｇ）、グリーン（Ｇ）、イエロー（Ｙｅ）及びシアン（Ｃｙ）の市松構造になっている。生データ記録の場合には、ライン＃１から順次、横方向に１２８０画素が順番に１０ビット精度で記録媒体５０に記録されている。Ｙ／Ｃ圧縮記録の場合には、撮像信号をＹＵＶ系に変換した後のＹＵＶ信号を、４：２：２のインターリーブ構成で記録媒体５０に記録してあるとする。」
　
　《撮像生データを読み出し表示》
　(K8)「【００２８】記録媒体５０から撮像生データを読み出した場合の処理を説明する。この場合、ＣＰＵ７０は、データ・セレクタ５４を制御して、インターフェース５２からのパラレル・データＤｐを選択させると共に、そのＧデータのみが画像メモリ５８に格納されるようにする。液晶表示装置６８の表示画面を６４０画素×４８０ラインとすると、画像メモリ５８の容量は６４０×４８０×８ビット以上であればよい。画像メモリ５８に１画面のＧデータが格納されると、メモリ制御回路６４を制御して、画像メモリ５８からＧデータをＤ／Ａ変換器６６に読み出させる。Ｄ／Ａ変換器６６は、同期信号発生回路７２からのクロックに従って画像メモリ５８からのデータをアナログ信号に変換し、液晶表示装置６８に印加する。液晶表示装置６８は、撮像生データの画像を６４０×４８０画素で８ビットの階調でモノクロ表示する。
【００２９】輝度信号でなくＧ信号で画像表示するが、撮影画像の概略を観察するには、これで充分である。・・・（以下略）」
　
　(K9)「【００３０】記録媒体５０からＹ／Ｃ圧縮データを読み出した場合の処理を説明する。この場合、ＣＰＵ７０は、インターフェース５２からのシリアル・データＤｓを選択すると共に、ＹＹＵＶのブロック・シーケンスのＹデータのみを通すように、データ・セレクタ５４を制御する。伸長回路６０は、入力するＹデータを伸長し、ジグザグ・スキャンからラスター・スキャンに変換して出力する。即ち、伸長回路６０はラスター・スキャンの８ビット輝度信号を出力する。
【００３１】伸長回路６０が出力する輝度信号は、水平方向に１２８０画素、垂直方向に９６０画素であるので、間引き回路６２により、水平方向で１画素おきに、垂直方向で１ラインおきに間引いて、６４０画素×４８０ラインとする。間引き回路６２の出力はデータ・バス５６を介して画像メモリ５８に印加され、画像メモリ５８に格納される。
【００３２】このように画像メモリ５８に格納された後は、撮像生データの場合と同様に読み出され、Ｄ／Ａ変換器６６によりアナログ信号に変換されて液晶表示装置６８に印加される。これにより、液晶表示装置６８は、Ｙ／Ｃ圧縮記録された撮影画像を２５６階調のモノクロ映像として表示する。
【００３３】上記実施例では、液晶表示装置６８の表示能力を水平６４０画素、垂直４８０ライン、２５６階調（８ビット）とし、これに応じて画像メモリ５８の記憶容量、インターフェース５２でのビット切捨て量、及び間引き回路６２での間引き量を設定した。より低解像度若しくは高解像度、又はカラーのの表示装置を用いれば、それに応じて、これらの数値が変更されることはいうまでもない。記録媒体５０からの読み出しもシリアル転送に限定されないことは明らかである。」
  　
　（２）刊行物６：特開平１１−３２３４９号公報の記載〉
　
　「【０００１】
【発明の属する技術分野】本発明は、
デジタルカメラにより撮影された写真画像をカラープリントとして出力するカラープリンタ
【０００２】
【従来の技術】一般に写真の画質、特にカラー写真の仕上がりは、露出条件によって大きく変わるものである。したがってフィルムを使用する従来のカメラには、撮影時の明るさや被写体の輝度分布に対応して適正な露光量を設定するためのＡＥ機構が搭載されているのが普通である。
【０００３】しかし、デジタルカメラの場合には、コストや演算時間の制約からカメラ側であまり高度な処理をできないことが多い。デジタルカメラの場合には写真店を介さずに取得された画像をそのまま利用することも多いため、ＣＲＴモニタあるいはカメラに付属する液晶モニタに表示される画像など、画質許容度の比較的広いモニタ表示画像が観察に耐えうる画像であれば画質として十分であるとして、ＡＥ機構としてあまり高性能なものが搭載されない場合もある。
【０００４】したがって、デジタルカメラで撮影されたデジタル画像データから写真プリントを作成する場合には、フィルムから画像データを取得する場合と同じ処理を行っただけでは高品位なプリントは得られない。このため、
デジタルカメラから取り込んだ画像データについては、満足がいく画質が得られるまで画像処理およびテストプリントを個別に繰り返して、プリントを作成していた。
　
　「【０００５】
【発明が解決しようとする課題】しかしながら、近年、デジタルカメラは、パソコンユーザに限らず、より一般的なユーザにも注目されるようになってきており、デジタルカメラで撮影した写真をプリントしたいというニーズが増加している。したがって、上述のように、プリント処理に時間やコストがかかることは、迅速なサービスを提供する上で好ましいとは言えない。
【０００６】これに対し、特願平８−２７９２０５号において、撮影時の光源や明るさなどの撮影条件を画像データとともに記憶するデジタルカメラと、その撮影条件を画像データとともに取り込んで撮影条件に適した画像処理を施して高画質なプリントを作成する画像再生装置が提案されている。しかし、この方法は、デジタルカメラが前記機能を備えていることを前提としており、普通のデジタルカメラの場合には有効ではない。
【０００７】本発明は、上記問題点に鑑みて、
特別な機能を持たない普通のデジタルカメラから取り込んだ画像データを対象とした画像処理機能およびプリント機能を備えたカラープリンタ
　
　「【０００８】
【課題を解決するための手段】
本発明のカラープリンタは、デジタルカメラにより撮影された写真画像をカラープリントとして出力するカラープリンタであって、デジタルカメラ用の記録媒体から該記録媒体に記録されている画像データを取り込む画像データ取込手段と、取り込んだ画像データを、該画像データの画素数がプリントサイズに必要な画素数となるように拡大あるいは縮小する拡大縮小手段と、前記画像データに対し、前記デジタルカメラのＲＧＢ原色と前記カラープリンタのＲＧＢ原色の間で色が同じになるように色変換を施す色変換手段と、前記画像データに対し、前記カラープリントの階調が好ましい階調となるように階調変換を施す階調変換手段と、前記拡大縮小手段、色変換手段および階調変換手段による処理後の画像データの色味および／または濃度バランスを判定し、該判定の結果に基づいて前記画像データに対し必要な修正処理を施す画像修正手段と、前記修正処理後の画像データをプリント台紙に記録することにより前記カラープリントを生成するプリント手段
【０００９】ここで、デジタルカメラ用の記録媒体とは具体的には、デジタルカメラの内蔵メモリあるいはＩＣメモリカードなどであり、画像データ取込手段とはデジタルカメラとの接続ケーブルやカードリーダなどのことである。また、
デジタルカメラの記録媒体に記録されている画像データのフォーマットはカメラの機種ごとに、あるいはモード設定ごとに異なるため、画像データを取り込む場合には、これらのデータをプリンタが取り扱えるフォーマットの展開しなければならないが、このような処理を行うソフトウェアも上記画像データ取込手段に含むものとする。
  　
　「【００１７】
【発明の効果】本発明のカラープリンタは、デジタルカメラ用メモリから直接画像データを取り込む画像取込手段を本体に備えているため、ＦＤなどに一旦データを移してからサービス店に持ち込む必要がない。また取り込まれた画像データは、拡大縮小手段によりプリント出力に十分な画素数となるように画素数変換が施された後に、色変換手段、階調変換手段、画像修正手段により、カメラ側では十分な露出制御が行われていないという前提で必要な色、階調変換、および修正処理が施されるため、ＡＥ機構やホワイトバランス機構を備えていない廉価版のデジタルカメラで撮影した写真であっても、フィルムスキャナで読み取った写真と同様、高画質な写真プリントとして出力することができる。」
　
　「【００１８】
【発明の実施の形態】以下、本発明のカラープリンタの一実施の形態について、図面を参照して説明する。図１は、本発明のカラープリンタの構成を示す図である。この図に示すように、本発明のカラープリンタはデジタルカメラから画像を取り込む
画像取込手段として、カードリーダ1a
【００１９】
カードリーダ1aは、撮影した写真を取り外し可能なメモリカード11に記録するデジタルカメラ10aから画像データを取り込むためのものである
【００２０】略
【００２１】なお、上記メモリカード11あるいはデジタルカメラの内蔵メモリに記録された画像データのフォーマットは、デジタルカメラのメーカーによって異なる場合がある。また同じデジタルカメラで撮影した場合でも、画素数の少ないモード、画素数の多いモード、圧縮モード（例えばJPEG)などのモード設定によって、記録される画像データのフォーマットは変わる。したがって、
上記カードリーダ1a
を介して画像データを取り込む
画像データをプリンタ側が取り扱える標準フォーマットに展開する。
【００２２】この画像データ７は次に補間拡大手段２により拡大され、例えば１０００×１５００画素程度のプリント用画像データ８となる。反対に、例えば証明写真のように小さいサイズのプリントを作成する場合には縮小される。プリント用画像データ８は、このカラープリンタの解像度に合わせ、例えばプリンタの解像度が６００dpiであれば、プリント用画像データ８の解像度も６００dpiとなるように補間される。
【００２３】さらに、補間拡大された画像データ８は色変換手段３により、
デジタルカメラのＲＧＢ原色（あるいはＣＭＹ原色）とプリンタのＲＧＢ原色の間で色が一致するように色変換される。
グレーをグレーとして再現するという意味であり、グレーだったものが黄味がかったり、青味がかったりすることがないようにするということである。
　
　「【００２８】修正後の画像データはレーザプリンタ６により写真プリント９として出力される。すなわち、例えばハロゲン化銀を用いたプリント台紙（感光部材）に、画像データに対応する量のレーザ光を照射してプリント台紙を露光し、これを現像することによって、台紙上に写真画像を再生する。プリント手段としては、レーザプリンタの他、インクジェットプリンタ、昇華型プリンタなど、あらゆるプリンタが適用可能である。
【００２９】以上、説明したようなカラープリンタによれば、現状普及している、ごく
標準的な機能のみを有するデジタルカメラでも、カメラ本体あるいはメモリカードをサービス店に持ち込み、プリンタの画像取込部にセットするだけで、フィルムの場合と同様に高画質なカラープリントを得ることができる。
　
［２］刊行物記載発明（引用発明１）
　
　上記刊行物１に記載された発明（以下、「引用発明１」という）の認定
　
　ア　図２のディジタル・スチル・カメラ
　・図２のディジタル・スチル・カメラは、「撮像素子の画素数の多さを活かして、
再生時に細かい色補正などを行なえるように、撮像素子の出力データをそのまま記録媒体に記録できるようにした
　
　・「
撮像素子１０の出力データそのもの、即ち、撮像生データを記録媒体２２に記録する時には
撮像生データであることを示す情報がヘッダとして一緒に記録媒体２２に記録され
　記録媒体に記録された撮像生データについて、
　「図１において、５０は、図２に示すカメラで撮影された撮像生データ及び／又はＹ／Ｃ圧縮データを記録する記録媒体」｛(K6)段落【0023】｝、
　「記録媒体５０に撮影画像を記録するカメラの高解像度撮像素子のカラー・フィルタ配置が、図５に示す構造であるとする。即ち、
マゼンタ（Ｍｇ）、グリーン（Ｇ）、イエロー（Ｙｅ）及びシアン（Ｃｙ）の市松構造
生データ記録の場合には、ライン＃１から順次、横方向に１２８０画素が順番に１０ビット精度で記録媒体５０に記録されている
　「
撮像素子１０の出力データそのもの
撮像生データ
有する『撮像手段』により得られた
　また、図２のディジタル・スチル・カメラは、上記のように記録する『
記録手段』を備えている
　図２のディジタル・スチル・カメラは、
　・カラー・フィルタ配置の構造が、図５に示す構造−マゼンタ（Ｍｇ）、グリーン（Ｇ）、イエロー（Ｙｅ）及びシアン（Ｃｙ）の市松構造−である高解像度撮像素子を有する撮像手段と、　｛→引用発明１のＰ１｝
　該撮像素子により撮像して得られた撮像出力データそのものである撮像生データをそのまま記録する場合、撮像生データであることを示す情報をヘッダとし、ライン＃１（図５）から順次、横方向に１２８０画素を順番に１０ビット精度で記録媒体５０に記録する記録手段  ｛→引用発明１のＰ２｝
　を備えている、といえ、
　当該ディジタル・スチル・カメラを用いて撮像して記録媒体に記録した上記撮像生データ、が記載されている。　
　
　イ　また、デジタル・スチル・カメラを「撮像素子の出力データをそのまま記録媒体に記録できるように」構成したのは、「撮像素子の画素数の多さを活かして、
再生時に細かい色補正などを行なえるように
　そのようなデジタル・スチル・カメラを用いて撮像して記録媒体に記録した上記撮像生データについて、
再生時に細かい色補正などの処理を施す
　また、一般に、デジタル・スチル・カメラ等の撮像記録装置により撮像して記録媒体に記録した画像データについて、当該画像データを
読み出して色補正などの処理を施して再生
　上記のデジタル・スチル・カメラを用いて撮像して上記撮像生データを記録媒体に記録し、｛→引用発明１のＱ｝
　当該記録媒体に記録した上記撮像生データについて、上記撮像生データを読み出して細かい色補正などの処理を施して再生する技術思想を認めることができる。｛→引用発明１のＲ｝
　
　ウ　引用発明１
　以上のことから、本願発明１と対比する引用発明１として、下記の方法発明を認定することができる。構成要素毎にＰ１等の記号を付しておく。
　
　　　　　　　記（引用発明１）
　Ｐ０：再生時に細かい色補正などを行なえるように、撮像素子の出力データをそのまま記録媒体に記録できるようにしたディジタル・スチル・カメラであって、
　Ｐ１：カラー・フィルタ配置の構造が、図５に示す構造−マゼンタ（Ｍｇ）、グリーン（Ｇ）、イエロー（Ｙｅ）及びシアン（Ｃｙ）の市松構造−である高解像度撮像素子を有する撮像手段と、
　Ｐ２：該撮像手段により得られた撮像出力データそのものである撮像生データをそのまま記録する場合、撮像生データであることを示す情報をヘッダとし、ライン＃１（図５）から順次、横方向に１２８０画素を順番に１０ビット精度で記録媒体５０に記録する記録手段と
　Ｐ０：を備えたディジタル・スチル・カメラ
　Ｑ：を用いて撮像して上記撮像生データを記録媒体に記録し、
　Ｒ：当該記録媒体に記録した上記撮像生データについて、上記撮像生データを読み出して細かい色補正などの処理を施して再生する方法。
　
　エ　撮像生データを記録した場合の簡易再生表示
　また、記録媒体５０から撮像生データを読み出した場合の再生について、　前掲(K8)の、「記録媒体５０から撮像生データを読み出した場合の処理を説明する。この場合、ＣＰＵ７０は、データ・セレクタ５４を制御して、インターフェース５２からのパラレル・データＤｐを選択させると共に、そのＧデータのみが画像メモリ５８に格納されるようにする。液晶表示装置６８の表示画面を６４０画素×４８０ラインとすると、画像メモリ５８の容量は６４０×４８０×８ビット以上であればよい。画像メモリ５８に１画面のＧデータが格納されると、メモリ制御回路６４を制御して、画像メモリ５８からＧデータをＤ／Ａ変換器６６に読み出させる。Ｄ／Ａ変換器６６は、同期信号発生回路７２からのクロックに従って画像メモリ５８からのデータをアナログ信号に変換し、液晶表示装置６８に印加する。液晶表示装置６８は、撮像生データの画像を６４０×４８０画素で８ビットの階調でモノクロ表示する。」（段落【0028】）、
　「輝度信号でなくＧ信号で画像表示するが、撮影画像の概略を観察するには、これで充分である。」（段落【0029】）、
　前掲(K9)の「上記実施例では、
液晶表示装置６８の表示能力
これに応じて
ビット切捨て量
より低解像度若しくは高解像度、又はカラーのの表示装置を用いれば、それに応じて、これらの数値が変更されることはいうまでもない
　前掲(K0)の「当該記録媒体から読み出す画像情報の記録形式を判別する判別手段と、当該１以上の所定圧縮形式に応じた伸長手段と、当該伸長手段の出力を所定画素量に間引く第１の間引き手段と、当該記録媒体から読み出した撮像生情報を所定画素量に間引く
第２の間引き手段
　これらの処理が、
液晶表示装置の表示能力
　
　したがって、刊行物１は、次の技術、すなわち、
　「引用発明１のディジタル・スチル・カメラにより撮像生データを記録した記録媒体５０、から撮像生データを読み出し、
　
液晶表示装置の表示能力に対応するためにする処理
Ｇデータのみ
第２の間引き
をビット切捨てして
　液晶表示装置６８に撮像生データの画像を６４０×４８０画素で８ビットの階調でモノクロ表示して、引用発明１のディジタル・スチル・カメラにより記録した記録画像の簡易再生表示を可能とする技術」
　も開示するものである。
　
［３］本願発明１と引用発明１との対比（対応関係）
　
　（１）本願発明１を、構成要件に分説して示せば、下記のとおりである。
　
　　　　　記（本願発明１、分説）
Ａ　異なる分光感度を有する複数種類の光電変換素子を単一面上に配置した撮像デバイスを有する撮像手段により得られた、モニタに再生することを前提とした画像処理が未処理の、各色成分の画素位置が異なる生撮像データを記録媒体に記録し、
Ｂ　該記録媒体に記録された前記生撮像データを読出し、該生撮像データに対してプリントに必要な画像処理を施して処理済みデータを得、
Ｃ　該処理済みデータをプリントすることを特徴とするフォトフィニッシング方法。
　
　（２）要件Ａについて　
　ア　「異なる分光感度を有する複数種類の光電変換素子を単一面上に配置した撮像デバイスを有する撮像手段」について
　
　引用発明１のＰ１：「カラー・フィルタ配置の構造が、図５に示す構造−マゼンタ（Ｍｇ）、グリーン（Ｇ）、イエロー（Ｙｅ）及びシアン（Ｃｙ）の市松構造−である高解像度撮像素子」は、本願発明の「異なる分光感度を有する複数種類の光電変換素子を単一面上に配置した撮像デバイス」ということができ、要件Ａの上記「撮像デバイス」と相違せず、
　したがって、引用発明１のＰ１の撮像手段は、要件Ａの「撮像手段」と相違しない。
　
　イ　「撮像手段により得られた、モニタに再生することを前提とした画像処理が未処理の、各色成分の画素位置が異なる生撮像データを記録媒体に記録し、」について
　
　イ-１　「撮像手段により得られた、」「各色成分の画素位置が異なる生撮像データを記録媒体に記録し、」
　引用発明１でも、Ｑ：「｛Ｐ１Ｐ２を備えたディジタル・スチル・カメラ｝を用いて撮像して上記撮像生データを記録媒体に記録し、」としていて、「撮像手段により得られた」「生撮像データを記録媒体に記録し」としていることは明らかである。
　また、Ｐ２：「該撮像手段により得られた撮像素子出力データそのものである撮像生データをそのまま記録する場合、撮像生データであることを示す情報をヘッダとし、ライン＃１（図５）から順次、横方向に１２８０画素を順番に１０ビット精度で記録媒体５０に記録する」のであり、
　「ライン＃１（図５）から順次、横方向に１２８０画素を順番に１０ビット精度で記録媒体５０に記録し」とは、図５をみれば、
　〔ライン＃１；〕マゼンタ（Ｍｇ）、グリーン（Ｇ）、マゼンタ（Ｍｇ）、グリーン（Ｇ）、・・・
　〔ライン＃２；〕シアン（Ｃｙ）、イエロー（Ｙｅ）、シアン（Ｃｙ）、イエロー（Ｙｅ）・・・
　と順に記録することを意味するから、
　引用発明１における、「記録媒体に記録し」「撮像手段により得られた」とする「生撮像データ」も「各色成分の画素位置が異なる生撮像データ」といいえるものである。
　したがって、引用発明１も、「撮像手段により得られた、」「各色成分の画素位置が異なる生撮像データを記録媒体に記録し、」としていて、この点、本願発明１と相違しない。
　
　イ-２　「モニタに再生することを前提とした画像処理が未処理の」
　また、引用発明１において、そのように記録されたデータ｛〔ライン＃１；〕Ｍｇ，Ｇ、Ｍｇ、Ｇ、・・・、〔ライン＃２；〕Ｃｙ，Ｙｅ、Ｃｙ，Ｙｅ、・・・｝は、「撮像素子出力データそのものである撮像生データ」であるから、「モニタに再生することを前提とした画像処理が未処理の」データであるとも言い得ることは明らかである。
　また、通常、モニタは、各画素がＲＧＢ３色を有する形式のデータを受け入れるものであることからすれば、このような形式のデータは、そのままではモニタに再生表示することはできない形式であるといえることからみても、
　また、撮像生データを記録した記録媒体５０から、記録画像を簡易表示するのに、［２］エで上記したような「
液晶表示装置の表示能力に対応するためにする処理
　「モニタに再生することを前提とした画像処理が未処理の」データであると言い得ることは明らかである。
　
　したがって、引用発明１も、「撮像手段により得られた、モニタに再生することを前提とした画像処理が未処理の、各色成分の画素位置が異なる生撮像データを記録媒体に記録し、」といい得、この点において、本願発明１と相違はない。
　
　ウ　以上によれば、構成要件Ａにおいて、本願発明１と引用発明１は相違しない。
　
　（３）要件Ｂ、Ｃについて　
　引用発明１のＲ「当該記録媒体に記録した上記撮像生データについて、上記撮像生データを読み出して細かい色補正などの処理を施して再生する方法」は、「該記録媒体に記録された前記生撮像データを読出し、」「該生撮像データに対して画像処理を施して画像処理済みデータを得、該処理済みデータを再生する方法」ともいい得るから、
　要件Ｂのうち、「該記録媒体に記録された前記生撮像データを読出し、」「該生撮像データに対して画像処理を施して処理済みデータを得、」とする点においては、相違はない。
　引用発明１は（処理済みデータを）「再生する」であるのに対して、
　本願発明１は（処理済みデータを）「プリントするフォトフィニッシング」としていて、この点相違するところ、この相違は、『画像再現方法』の相違（「再生する」か「プリントするフォトフィニッシング」かの相違）と捉えることができる。
　また、該生撮像データに対して施す「画像処理」が、
　引用発明１では、細かい色補正などの処理であり、「プリントに必要な画像処理」とはしておらず、この点でも相違が認められる。
　
［４］一致点・相違点
　以上の対比結果によれば、本願発明１と引用発明１との一致点および相違点は、下記のとおりである。 
 　 
　　　　　　　　記（一致点）  
Ａ　異なる分光感度を有する複数種類の光電変換素子を単一面上に配置した撮像デバイスを有する撮像手段により得られた、モニタに再生することを前提とした画像処理が未処理の、各色成分の画素位置が異なる生撮像データを記録媒体に記録し、
Ｂ’該記録媒体に記録された前記生撮像データを読出し、該生撮像データに対して画像処理を施して画像処理済みデータを得、処理済みデータを画像再現（再生／プリントするフォトフィニッシング）する方法。
　
　　　　　　　　記（相違点）
　処理済みデータを画像再現する方法を、
　　本願発明１では、（処理済みデータを）プリントするフォトフィニッシング方法としているのに対して、
　　引用発明１では、（処理済みデータを）再生する方法としており、
　該生撮像データに対して施す画像処理を、
　　本願発明１では、プリントに必要な画像処理とするのに対して、
　　引用発明１では、細かい色補正などの処理としていて、プリントに必要な画像処理とはしていない点。
　
［５］相違点の判断
　
　（１）［相違点の克服］
　Ｓ１：引用発明１の、「再生する方法」を、「プリントするフォトフィニッシング方法」とし、
　Ｓ２：引用発明１の、該生撮像データに対して施す画像処理（細かい色補正などの処理）を、「プリントに必要な画像処理」とすること
　（以下、［相違点の克服］という）で、
　上記［相違点］は克服され、本願発明１に到達する。
　
　（２）［相違点の克服］の容易想到性の判断
　
　ア　Ｓ１：引用発明１の、「再生する方法」を、「プリントするフォトフィニッシング方法」とすることは、当業者が容易に想到し得ることである。
　詳細は以下の通り。
　
　ア-１　引用発明１は、「細かい色補正などの処理を施して再生する」ところ、
　当業者は、「
再生
　｛例えば、上記刊行物６にも「撮影時の光源や明るさなどの撮影条件を画像データとともに記憶するデジタルカメラと、その撮影条件を画像データとともに取り込んで撮影条件に適した画像処理を施して高画質なプリントを作成する画像
再生
プリンタやモニタ上で再生する
再生
　Ｒ：「当該記録媒体に記録した上記撮像生データについて、上記撮像生データを読み出して細かい色補正などの処理を施して
再生する方法
　「当該記録媒体に記録した上記撮像生データについて、上記撮像生データを読み出して細かい色補正などの処理を施して
プリントする（プリント再生する）方法
　
　ア-２　《周知事項》
　加えて、一般に、電子スチルカメラ等の撮像記録手段により撮像して得た画像データが記録された記録媒体から、記録された画像データを読み出して、画像データが表す画像をプリントすることは、例を挙げるまでもなく、周知のことにすぎないし、
　「フォトフィニッシング」（これについて、本願明細書では何ら説明されていないが）も周知であり｛例えば、特開平１０−３０８９１０号公報（段落【0013】〜【0017】）等参照、特開平１０−１６１２４８号公報、特開平１０−２３９７８０号公報、特開平１１−７０８３号公報等｝、
　また、撮像して得た静止画像データが記録された記録媒体から、記録された静止画像データを読み出して、静止画像データが表す画像を写真プリント（フォトフィニッシング）することも、例えば、上記刊行物６の他、下記周知例１〜４にみられるように普通に知られていることにすぎない。
　　　　　記
　　周知例１：特開昭６４−１２６８７号公報
　　周知例２：特開平１−２６８２８９号公報
　　周知例３：特開平１０−１９１２４６号公報
　　周知例４：特開平１０−３０８９１０号公報
　　
　ア-３　上記ア-１、アー２を考慮すれば、上記Ｓ１：引用発明１の、「再生する方法」を、「プリントするフォトフィニッシング方法」とすることは、当業者が容易に想到することである。
　
　イ　上記Ｓ１とする際に、Ｓ２：引用発明１の、該生撮像データに対して施す画像処理を、「プリントに必要な画像処理」とすることも当業者が容易に想到し得ることである。
　詳細は以下の通り。
　
  イ-１　「プリントに必要な画像処理」について
　　本願発明１でいう「
プリントに必要な画像処理
　本願明細書の、「【００１３】また、「プリントに必要な画像処理」とは、生撮像データから上記
特開平１０−１９１２４６号
　｛本審決註：上記「
特開平１０−１９１２４６号」は誤りであって、正しくは
　段落【0004】「単板ＣＣＤにおいて得られた撮像データから、各画素の輝度を表す高周波の輝度信号と、補間処理および平滑化処理による低周波の色度信号とを生成し、輝度信号および色度信号を用いて
撮像データ信号を再構成する
　に記載された、「
特開平１０−２００９０６号
特開平９−６５０７５号
　に照らせば、
　(i)生撮像データから撮像データを再構成する処理
　(ii)生撮像データを所望とするプリントサイズに拡大、縮小するための補間処理
　(iii)プリントサイズに応じたシャープネス強調処理
　(iv)撮像デバイスの分光感度を補正する色変換処理
　(v)プリントに適した色となるように生撮像データの色を変換する色変換処理
　(vi)ホワイトバランス処理
　の処理を含んでいうものであることは明らかであるところ、
　少なくとも、上記(ii)、(iii)、(vi)の処理は、
　当該処理をしなければ「プリント」できない処理ではなく、
　当該処理をすれば、よりプリントを欲する利用者のニーズに合致するようにするための処理｛例えば、(ii)｝や、処理をしない時より画質の良いプリント画像とするための処理｛(iii)や(vi)｝であることは明らかである。
　
　すなわち、本願発明１でいう「
プリントに必要な画像処理
　当該処理をしなければプリントできない処理を含むかも知れないが、そのような処理だけでなく、「
プリントを欲する利用者のニーズに合致するようにするための処理や、より画質の良いプリント画像とするための処理
　
　イ-２　上記Ｓ１：引用発明１の、「再生する方法」を、「プリントするフォトフィニッシング方法」とすると、
　引用発明のＲは、「当該記録媒体に記録した上記撮像生データについて、上記撮像生データを読み出して細かい色補正などの処理を施してプリントするフォトフィニッシング方法。」となるところ、
　上記「細かい色補正処理」は、「より画質の良いプリント画像とするための処理」といえ、同処理は上記イ-１のとおり、本願発明１でいう「
プリントに必要な画像処理
　上記Ｓ２：引用発明１の、該生撮像データに対して施す画像処理（細かい色補正などの処理）を、「プリントに必要な画像処理」とすること、
　に至ることになり、上記［相違点の克服］がなされ、本願発明１に至る。
　
　そして、上記Ｓ１：引用発明１の、「再生する方法」を、「プリントするフォトフィニッシング方法」とすることが、当業者の容易想到であることは、上記ア-３のとおりであるから、上記［相違点の克服］は、当業者の容易想到である。
　
　イ-３　上記Ｓ１とする際に、引用発明１の「撮像生データ」の形式（形態）に接した当業者は、「該撮像生データに対して
プリントに必要な画像処理を施して
　
　なぜなら、
　・引用発明１の撮像生データは、〔ライン＃１；〕マゼンタ（Ｍｇ）、グリーン（Ｇ）、マゼンタ（Ｍｇ）、グリーン（Ｇ）、・・・〔ライン＃２；〕シアン（Ｃｙ）、イエロー（Ｙｅ）、シアン（Ｃｙ）、イエロー（Ｙｅ）・・・のデータが順に並んだデータであって、
　このような
撮像生データの各画素
　当業者は、各画素が全色成分を有するようにする画像処理、つまり、本願明細書で「
プリントに必要な画像処理
　・また、所望のプリントサイズにプリントすることも、常であり普通であるところ、
　引用発明１の上記「撮像生データ」は画素数が固定であり、そのままでは固定サイズのプリントしかできないことから、当業者は、サイズ・画素数変換をする処理（例えば、補間処理）を施してから、プリントすることを普通に想定するものであって、
　これらの処理は、本願発明でいう「
プリントに必要な画像処理
　
　〈刊行物４〉
　ところで、上記の、生撮像データから撮像データを再構成する処理をし、処理済みの画像信号データをプリンタに与えることは、上記刊行物４にも開示されていて、このことからみても、
　引用発明１に接した当業者は、引用発明１の上記「撮像生データ」に対してそのような再構成の処理をし、処理済みの画像信号データをプリンタに与えることを想定するものということができる。
　そして、そのような処理は、上記のように、本願明細書で「
プリントに必要な画像処理
　
　すなわち、
　上記刊行物４（特開平１０−２００９０６号公報）の、実施例２（図２、段落【0033】〜【0038】）及び実施例３（図３、段落【0039】〜【0046】）は、
　単板ＣＣＤにおいて得られた、同一面上に分光感度の異なる複数種類の受光素子が交互に配置された単板ＣＣＤのカラー画像撮像装置による撮像信号Ｒ０，Ｂ０、Ｇ０−各画素が１色のみの成分を有するものであって全色成分を含み得るものではない点で、引用発明１の「撮像生データ」と同じ形式（形態）である信号−を、
　各受光素子位置でＲＧＢ３原色信号を有するカラー画像信号Ｒ，Ｇ，Ｂに変換する処理（本願明細書で説明する上記の(i)生撮像データから撮像データを再構成する処理）をするものであるところ、
　段落【0047】〜【0051】、特に「【００４８】
本発明の撮像信号処理又は前記各実施例の機能部を実現するためのプログラム
そのプログラムを実行させ、得られたカラー画像信号データをメモリ４１２に得る。この処理結果のカラー画像信号データは、
プリンタ４１８などの画像出力装置によって出力され
　上記再構成する処理結果の画像信号データをプリンタに与えるのであるから、
　上記の撮像信号を各受光素子位置でＲＧＢ３原色信号を有するカラー画像信号Ｒ，Ｇ，Ｂに変換する処理をし、処理済みの画像信号データをプリンタに与えることが開示されている。
　
　イ-４　《よく知られた普通の技術》
　上記ア-２で例示した、上記刊行物６や上記各周知例１〜４においても、
　撮像して得た静止画像データが記録された記録媒体から、記録された静止画像データを読み出して、静止画像データが表す画像を写真プリント（フォトフィニッシング）するのに、
　静止画像データに対して
プリントに必要な画像処理を施して
　当該技術は、《よく知られた普通の技術》である。
　
　上記《よく知られた普通の技術》を、引用発明１の、記録媒体に記録された「撮像生データ」に対して施す画像処理（細かい色補正などの処理）に適用すれば、上記Ｓ２とすることになって上記［相違点］が克服されるところ、
　当該適用は、ごく自然であって、当業者が容易に想到し得ることである。
　また、当該適用を妨げる事情も認められず、上記イ-３からみて指向されることであることからみても、当業者の容易想到である。
　
　上記《よく知られた普通の技術》について、以下にみておく。
　
　（ア）周知例３：特開平１０−１９１２４６号公報
　例えば、周知例３（段落【0001】〜【0008】、【0016】【0024】、【0030】〜【0033】、図１等）では、
　 「電子撮像素子を用いた電子カメラ（以下デジタルカメラという）の場合には、コストや演算時間の制約からカメラ側であまり高度な処理をできないことが多」く、「
プリントとしてデジタルカメラで撮影されたデジタル画像データを再生する場合に
写真プリント
求められた画像処理条件によって画像処理を施して最終的に顧客に提供するプリントを作成する
　「プリントとしてデジタルカメラで撮影されたデジタル画像データを再生」し、「
最終的に顧客に提供するプリントを作成
プリントに必要な画像処理
　また、「本発明の画像再生方法および装置は、撮影時に、デジタルカメラにより取得したデジタル画像データに撮影条件を表す撮影情報を付与し、再生時にその撮影情報を使用して画質を高めるための画像処理を行うようにしたので、撮影条件を考慮した再生のための画像処理ができ、テストプリントを繰り返すことなく最適な仕上がりのプリントを容易に得ることができる。」（段落【0016】）とあり、
　上記「撮影条件を考慮した再生のための画像処理」は、「
プリントに必要な画像処理
　・「デジタルカメラにおいてメモリに記憶されたデジタル画像データは、
カードリーダ
を介して画像サーバ２に記憶され
とあり、
　上記「画質を高めるための画像処理」は、「
プリントに必要な画像処理
　
　（イ）上記刊行物６：特開平１１−３２３４９号公報
　上記刊行物６には、図面と共に、上記［１］（２）で摘示した記載が認められ、このうち、特に下線を引いた箇所によれば、
　刊行物６には、
　b0：デジタルカメラにより撮影された写真画像を、カラープリンタを用いてカラープリントとして出力する方法であって、
　b1：デジタルカメラ用の記録媒体から該記録媒体に記録されている画像データを、カードリーダ1aを介して、カメラの機種・モード設定ごとに異な画像データのフォーマットをプリンタが取り扱える標準フォーマットに展開する処理をして取込み、
　b2：取り込んだ画像データを、該画像データの画素数がプリントサイズに必要な画素数となるように拡大あるいは縮小し、
　b3：前記画像データに対し、前記デジタルカメラのＲＧＢ原色（あるいは
ＣＭＹ原色
　b4：前記画像データに対し、前記カラープリントの階調が好ましい階調となるように階調変換を施す階調変換し、
　b5：前記拡大縮小手段、色変換手段および階調変換手段による処理後の画像データの色味および／または濃度バランスを判定し、該判定の結果に基づいて前記画像データに対し必要な修正処理を施し、
　b6：前記修正処理後の画像データをプリント台紙に記録することにより前
記カラープリントを生成する技術（以下、〈刊行物６記載技術〉という。）
　が記載されている
　
　上記〈刊行物６記載技術〉の、上記b2の処理、b3の処理は、それぞれ、上記イ-１でみた本願明細書でいう上記(ii)の拡大縮小処理、上記(iv)〜(vi)のうちの１の処理に相当するということができるから、本願発明でいう「
プリントに必要な画像処理
　また、上記b1の処理も、「
プリントに必要な画像処理
　したがって、〈刊行物６記載技術〉は、
　デジタルカメラ用の記録媒体から該記録媒体に記録されている画像データを、カードリーダ1aで読み出して取り込み、
　画像データが表す画像を写真プリントするのに、
　読み出した画像データに対して
プリントに必要な画像処理を施して
　
　ウ　まとめ（［相違点の克服］）
　以上、引用発明１を出発点として、上記［相違点の克服］、すなわち、上記Ｓ１とＳ２を合わせてなすことで、本願発明１の構成に達することになるところ、
　Ｓ１：引用発明１の、「再生する方法」を、「プリントするフォトフィニッシング方法」とすることは、上記アで示したように、当業者の容易想到であり、
　上記Ｓ１とする際に、Ｓ２：引用発明１の、該生撮像データに対して施す画像処理（細かい色補正などの処理）を、「プリントに必要な画像処理とし、該生撮像データに対して画像処理を施して画像処理済みデータを得、」とすることも、上記イで示したように、当業者の容易想到であって、
　上記［相違点の克服］は、周知事項、刊行物６、４記載の発明に基づいて当業者が容易に想到し得ることである。
　
　（３）まとめ（相違点の判断）
　以上のとおり、本願発明１は、刊行物１記載の発明（引用発明１）及び、周知事項、刊行物６、４記載の発明に基づいて当業者が容易に発明をすることができたものである。
　
【第３-２】本願発明４について（刊行物１主引用例、進歩性判断）
　
［１］本願発明４
　本願発明４は、前記【第２】のとおりであるところ、
　「・・・
記録手段とを備えたデジタルカメラにおいて
記録された
読出し
画像処理手段
　「おいて」は「記録された」に係り、「前記生撮像データ」が
デジタルカメラにおいて
記録された
　「読み出し」は、「画像処理手段が行うこと」、
　以上は、明細書に照らし明らかである。
　
　したがって、本願発明４は、以下のように、構成要件に分説できる。
　
　　　　　記（本願発明４、分説）
Ｄ１：異なる分光感度を有する複数種類の光電変換素子を単一面上に配置した撮像デバイスを有する撮像手段と、
Ｄ２：該撮像手段により得られた、モニタに再生することを前提とした画像処理が未処理の、各色成分の画素位置が異なる生撮像データを記録媒体に記録する記録手段と
Ｄ３：を備えたデジタルカメラにおいて前記記録媒体に記録された前記生撮像データ
Ｅ：（前記記録媒体に記録された前記生撮像データ）を読出し、該生撮像データに対して
プリントに必要な画像処理
　
　〈本願発明１との相違〉
　本願発明４が、本願発明１と異なる点は、
　・方法発明ではなく装置発明であること
　・「フォトフィニッシング」を構成要件としていないこと、
　・プリントを含まず、「画像処理装置」を構成要件とすること
　である。
　
　〈
プリントに必要な画像処理
　また、「プリントに必要な画像処理」は、前記【第３-１】［５］（２）イ-１で、本願発明１についてした解釈同様、「プリントを欲する利用者のニーズに合致するようにするための処理や、より画質の良いプリント画像とするための処理」をも含んでいうものと解される。
　
　以下、これらのことを踏まえて検討する。
　
［２］刊行物記載発明（引用発明１’）
　
　上記刊行物１に記載された発明（以下、「引用発明１’」という）の認定
　
　ア　本願発明４に合わせ、上記刊行物１から、物の発明として引用発明１’を認定する。
　
　刊行物１の記載（前記【第３-１】［１］（１））、及び、前記【第３-１】［２］アと同様、引用発明１’として、前記本願発明１と同様のＰ０〜Ｐ２の「ディジタル・スチル・カメラ」を認めることができる。
　イ　また、デジタル・スチル・カメラを「撮像素子の出力データをそのまま記録媒体に記録できるように」構成したのは、「撮像素子の画素数の多さを活かして、
再生時に細かい色補正などを行なえるように
　そのようなデジタル・スチル・カメラを用いて撮像して記録媒体に記録した上記撮像生データについて、
再生時に細かい色補正などの処理を施す
　また、一般に、デジタル・スチル・カメラ等の撮像記録装置により撮像して記録媒体に記録した画像データについて、
再生時に
等
当該画像データを取込んで当該画像データに対して色補正などの処理を施
　
再生時にそのような処理をする手段を備えた物
　また、刊行物１の図３等の再生装置は、記憶媒体からの読出しを行っている｛「記録媒体２２から読み出された情報は・・・」（段落【0009】）とされ、図３にはデジタル・スチル・カメラから取り出されたと想定される記憶媒体２２とＩ／Ｆ２４が直接結合されていることからみて、読み出しは、デジタル・スチル・カメラではなく再生装置で行われている。｝から、上記「
再生時にそのような処理をする手段を備えた物
　以上によれば、刊行物１記載の技術思想として、
　上記のデジタル・スチル・カメラを用いて撮像して記録媒体に記録した上記撮像生データについて、｛→引用発明Ｔ｝
　
再生時に
色補正などの処理を施す手段を備えた物
　
　ウ　引用発明１’
　以上のことから、本願発明４と対比する引用発明１’として、下記の物を認定することができる。構成要素毎にＰ１等の記号を付しておく。
　
　　　　　　　記（引用発明１’）
　Ｐ０：再生時に細かい色補正などを行なえるように、撮像素子の出力データをそのまま記録媒体に記録できるようにしたディジタル・スチル・カメラであって、
　Ｐ１：カラー・フィルタ配置の構造が、図５に示す構造−マゼンタ（Ｍｇ）、グリーン（Ｇ）、イエロー（Ｙｅ）及びシアン（Ｃｙ）の市松構造−である高解像度撮像素子を有する撮像手段と、
　Ｐ２：該撮像手段により得られた撮像出力データそのものである撮像生データをそのまま記録する場合、撮像生データであることを示す情報をヘッダとし、ライン＃１（図５）から順次、横方向に１２８０画素を順番に１０ビット精度で記録媒体５０に記録する記録手段と
　Ｔ：を備えたディジタル・スチル・カメラを用いて撮像して記録媒体に記録した上記撮像生データについて、
　Ｕ：再生時に上記撮像生データを読出して上記撮像生データに対して色補正などの処理を施す手段を備えた物。
　
［３］本願発明４と引用発明１’との対比（対応関係）
　
　（１）要件Ｄ１〜Ｄ３（デジタルカメラ、前記生撮像データ）について
　前記【第３-１】［３］でした本願発明１と引用発明１との対応関係を踏まえれば、引用発明１’のＰ０・Ｐ１・Ｐ２・Ｔは、本願発明４のＤ１・Ｄ２Ｄ・Ｄ３と相違しない。
　すなわち、引用発明１’の「ディジタル・スチル・カメラ」、「ディジタル・スチル・カメラを用いて撮像して記録媒体に記録した上記撮像生データ」は、本願発明４の「デジタルカメラ」、「デジタルカメラにおいて前記記録媒体に記録された前記生撮像データ」と相違しない。
　
　（２）要件Ｅについて
　引用発明１’のＵの「再生時に上記撮像生データを読出して上記撮像生データに対して
色補正などの処理を施す手段
　「再生時に上記撮像生データを読出して上記撮像生データに対して
画像処理を施して処理済みデータを得る画像処理手段
　要件Ｅのうちの「（前記記録媒体に記録された前記生撮像データ）を読出し、該生撮像データに対して」「画像処理を施して処理済みデータを得る画像処理手段」においては、相違はない。
　もっとも、引用発明１’の「画像処理手段」（Ｕ）は、該生撮像データに対して施す「
画像処理
　また、引用発明１’は、発明全体を「画像処理装置」ともしておらず、この点でも一応の相違が認められる。
　
［４］一致点・相違点
　以上の対比結果によれば、本願発明４と引用発明１’との一致点および相違点は、下記のとおりである。 
 　 
　　　　　　　　記（一致点）  
Ｄ１：異なる分光感度を有する複数種類の光電変換素子を単一面上に配置した撮像デバイスを有する撮像手段と、
Ｄ２：該撮像手段により得られた、モニタに再生することを前提とした画像処理が未処理の、各色成分の画素位置が異なる生撮像データを記録媒体に記録する記録手段と
Ｄ３：を備えたデジタルカメラにおいて前記記録媒体に記録された前記生撮像データ
Ｅ’：（前記記録媒体に記録された前記生撮像データ）をを読出し、該生撮像データに対して
画像処理
画像処理手段
物
　
　　　　　　　　記（相違点）
　［相違点１］
　上記
画像処理手段
画像処理
　　本願発明４では、「プリントに必要な画像処理」とするのに対して、
　　引用発明１’では、「再生時の細かい色補正などの処理」としていて「プリントに必要な画像処理」とはしていない点
　
　［相違点２］
　本願発明４は、全体を「画像処理装置」とするのに、
　引用発明１’は、「画像処理装置」とはしていない点。
　
［５］相違点の判断
　
　（１）相違点１について
　引用発明１’の、「
画像処理手段
画像処理
　「プリントに必要な画像処理」とすること（以下、「Ｇ１」という）
　で、上記［相違点１］は克服される（以下、［相違点１の克服］という）ところ、
　以下にみるように、［相違点１の克服］は当業者が容易に想到し得ることである。
　
　ア　前記【第３-１】［５］相違点の判断（２）ア-１で述べたとおり、当業者は、「
再生
　引用発明１’の上記Ｕを、「
プリンタで画像を再現する時
　このとき（「Ｇ０」とするとき）、引用発明１’の、「該生撮像データに対して施す
画像処理
プリンタで画像を再現する時
　当該処理は、「より画質の良いプリント画像とするための処理」といえ、同処理は前記「【第３-１】［５］相違点の判断（２）イ-１」でみたとおり、本願発明４でいう「
プリントに必要な画像処理
　上記「Ｇ０」とすることは当業者が容易に想到し得ることであることから、上記［相違点１の克服］も、当業者が容易に想到し得ることである。
　
　イ　上記「Ｇ０」とする際、引用発明１’の「撮像生データ」の形式（形態）に接した当業者は、引用発明１’の、「該生撮像データに対して施す施す
画像処理
　その理由は、前記「【第３-１】［５］相違点の判断（２）イ-３」で述べたとおりであるが、
　加えて、例えば周知であり慣用されているインクジェット等のプリンタでは、シアン（Ｃｙ）、マゼンタ（Ｍｇ）、イエロー（Ｙｅ）、
黒（Ｋ）
　引用発明１’の撮像生データはそうではなく、プリントするためには、各画素のシアン（Ｃｙ）、マゼンタ（Ｍｇ）、イエロー（Ｙｅ）、
黒（Ｋ）
　
　ウ　《よく知られた普通の技術》
　前記「【第３-１】［５］相違点の判断（２）ア-２」で例示した、上記刊行物６や上記各周知例１〜４（写真プリントの例）や、さらに、下記周知例５〜７等にみられるように、
　撮像して得た静止画像データが記録された記録媒体から、記録された静止画像データを読み出して、静止画像データが表す画像をプリントするのに、
　静止画像データに対して
プリントに必要な画像処理を施して
　　　　　記
　　周知例５：特開平１０−８４５５５号公報
　　　　　　｛段落【0002】〜【0004】、【0006】〜【0008】、【0025】
　　　　　　　【0026】、図１等｝
　　周知例６：特開平９−２１４８０７号公報
　　　　　　｛段落【0002】〜【0007】、【0022】〜【0025】、【0033】〜
　　　　　　　【0045】、図１等｝
　　周知例７：特開平１０−１２６７２４公報
　　　　　　｛請求項３，段落【0001】〜【0004】、【0059】、図１等｝
　
　上記《よく知られた普通の技術》を、引用発明１’の、記録媒体に記録された「撮像生データ」に対して施す画像処理に適用すれば、上記Ｇ１となって上記［相違点１の克服］がなされるところ、
　当該適用は、ごく自然であって、当業者が容易に想到し得ることである。
　また、当該適用を妨げる事情も認められず、また、当該適用は、上記イ、前記「【第３-１】［５］（２）イ-３」からみて指向されることといえることからみても、上記Ｇ１とすること、つまり、上記［相違点１の克服］は、当業者の容易想到である。
　
　（２）相違点２について（「画像処理装置」とすることの容易想到性）
　上記のように［相違点１の克服］は当業者の容易想到であるところ、
　その容易に想到し得た、
   Ｕ’：再生時に上記撮像生データを読出して上記撮像生データに対して色補正などの処理を施す手段（「
プリントに必要な画像処理
　プリンタとは別体の物と認識し得る物であり、全体としてもプリントに必要な画像処理を施す物といえることから、「画像処理装置」とすることも当業者が容易に想到し得ることである。
　また、プリント用の画像処理をする装置を、プリンタとは別体の装置とすることもごく普通のことにすぎない｛例えば、上記の周知例２、周知例４（段落【0013】〜【0017】、画像取扱装置、パソコン）、周知例５（段落【0002】〜【0003】【0025】）、周知例６、周知例７等参照｝ことからみても、上記Ｕ’の物を「画像処理装置」とすることは、当業者が容易に想到し得ることである。
　
　（３）まとめ（相違点の判断）
　以上、引用発明１’を出発点として、上記［相違点１］を克服し、上記［相違点２］を克服して、本願発明４の構成に達することになるところ、それらの克服は、周知事項、刊行物６、４記載の発明に基づいて当業者が容易に想到し得ることである。
　
　以上のとおり、本願発明４は、刊行物１記載の発明、及び、周知事項・技術常識、刊行物６、４記載の発明に基づいて当業者が容易に発明をすることができたものである。
　
【第３-３】本願発明４について（新規性判断）
　
［１］本願発明４
　本願発明４の認定・解釈については、前記【第３-２】［１］を援用する。
　
［２］刊行物の記載
　当審の拒絶の理由（理由Ａ、２９条１項３号、２９条第２項）において引用した上記刊行物２には、図面と共に、次に掲げる記載が認められる。
　
　　〈刊行物２：特開平６−９８３４９号公報の記載〉
　
　　〈要約、特許請求の範囲〉
　(L0)「【目的】  再生装置とこの再生装置に接続される電子機器とからなり、電子機器によって、再生装置での画像データの色再現性の補正処理が制御され、簡単に高精度の色再現性が実現可能で、使い勝手のよいカラー画像処理システムとその電子機器を提供する。
【構成】  装着された媒体から再生されたカラー画像データを記憶する画像メモリ４３、画像メモリ４３に記憶されたカラー画像データに対して補正処理を施して出力するＤＳＰ４６、ＣＰＵ４８、および出力Ｉ／Ｆ回路４９を具備する再生装置と、該再生装置から出力されるカラー画像データを入力し、当該カラー画像データを記憶し、且つ再生装置へのカラー画像データ補正の制御コマンドを発生するコンピュータ３００とを設ける。
【特許請求の範囲】
【請求項１】  装着された媒体からカラー画像データを再生する再生手段、前記カラー画像データを記憶する記憶手段及び該記憶手段に記憶されたカラー画像データに対して補正処理を施して出力する補正手段を具備する再生装置と、該再生装置から出力されるカラー画像データを入力する入力手段、該入力手段により入力されるカラー画像データを記憶する記憶手段及び前記再生装置の補正手段を制御する制御コマンドを発生する発生手段を具備する電子機器とを有することを特徴とするカラー画像処理システム。
【請求項２】  装着された媒体からカラー画像データを再生する再生手段、前記カラー画像データを記憶する記憶手段及び該記憶手段に記憶されたカラー画像データに対して補正処理を施して出力する補正手段を具備する再生装置に接続して使用される電子機器であって、前記再生装置から出力されるカラー画像データを入力する入力手段と、該入力手段により入力されるカラー画像データを記憶する記憶手段と、前記再生装置の補正手段を制御する制御コマンドを発生する発生手段とを有することを特徴とする電子機器。」
　
　　〈産業上の利用分野、従来の技術、課題〉 　 
　(L1)「【産業上の利用分野】本発明は、カラー画像処理システムおよび該システムを構成する電子機器に関する。
【０００２】
【従来の技術】従来から電子スチルカメラで撮影された画像は、ＴＶモニタで再生するだけでなく、パーソナルコンピュータやワークステーションなどの外部機器にデータとして取り込まれ、ＤＴＰ（ディスクトップ・プランニング）に使用するはめ込み画像のソースとして、或いは、印刷、画像伝送のソースとして使用されている。
【０００３】
【発明が解決しようとする課題】またこの場合、例えば色再現性を向上させるためには、スチルカメラ側の処理だけでは不充分なことが多く、コンピュータなどの外部機器からの指示で、画像データが補正処理ができることが望ましい。
【０００４】本発明は、前述したようなこの種のカラー画像処理の現状に鑑みてなされたものであり、その目的は、再生装置とこの再生装置に接続される電子機器とからなり、電子機器によって、再生装置での画像データの色再現性の補正処理が制御され、簡単に高精度の色再現性が実現可能で、使い勝手のよいカラー画像処理システムとその電子機器を提供することにある。」
　
　　〈第１実施例、図１〜図４〉
　(L2)「【０００８】
【実施例】以下、本発明の実施例を図１乃至図２０を参照して説明する。
【０００９】最初に、図１乃至図１３を参照して第１の実施例を説明する。
【００１０】図１は第１の実施例の構成を示すブロック図、図１は第１の実施例の画像データの説明図、図３は第１の実施例のディジタルシグナルプロセッサで処理を行う画像データブロックの説明図、図４は第１の実施例のディジタルシグナルプロセッサで処理後のデータが格納される画像メモリの説明図、図５は第１の実施例の１６画面の同時表示の説明図、図６は第１の実施例の撮像素子の補色フィルタの配列の説明図である。
【００１１】第１の実施例の図示せぬ記録媒体には、図２に示すように、１画面の画素数１０００（Ｖ）×１２００（Ｈ）の画素データが、輝度信号（Ｙ）及び色差信号（Ｒ−Ｙ、Ｂ−Ｙ）の形で記録されている。１６画面の取込みを実施する場合を説明すると、例えば外部機器のコンピュータ３００から１６画面取込のコマンドが、出力Ｉ／Ｆ４９を介して、出力Ｉ／Ｆ４９に接続されたＣＰＵ４８に入力されると、ＣＰＵ４８は、ＣＰＵ４８に接続された入力Ｉ／Ｆ４１を制御する。そこで、ＣＰＵ４８に制御された入力Ｉ／Ｆ４１は、図示せぬ記録媒体から４ライン分の輝度信号（Ｙ）及び色差信号（Ｒ−Ｙ、Ｂ−Ｙ）を取込み、入力Ｉ／Ｆ４１に接続されたバッファ回路４２に入力する。
【００１２】バッファ回路４２は、先ず図３に示す輝度信号（Ｙ）及び色差信号（Ｒ−Ｙ、Ｒ−Ｂ）の水平方向に４画素分のブロックｂ１を、バッファ回路４２に接続されたＤＳＰ（ディジタルシグナルプロセッサ）４６に転送する。この時、Ｒ０Ｍ４７とＣＰＵ４８とに接続されたＤＳＰ４６は、ＣＰＵ４８の制御によってＲＯＭ４７から１６分割時の処理プログラムを取り込んでいる。そこで、ＤＳＰ４６は該処理プログラムに従って、転送された１６個のＹデータ及び各８個のＲ−Ｙ、Ｒ−Ｂデータに基づく平均化処理及びＲＧＢデータへの変換処理を実行する。そして、得られたＲＧＢデータは、図４に示すように、ＤＳＰ４６に接続され、１プレン１０００×１２００×８ｂｉｔで３プレンからなる画像メモリ４３の所定のアドレス格納される。
【００１３】以下同様にして、１ライン３００個のブロックのデータに対して、ＤＳＰ４６により平均化処理とＲＧＢデータへの変換処理とが行われ、得られたＲＧＢデータは画像メモリ４３に格納される。このようにして、４ライン分の処理が終了すると、次の４ライン分のデータが記録媒体から読み出され、同様な処理が行われる。そして、最終的に１枚の画面の処理が終了した時点では、モニタ表示時において、図５のＡの分割位置に表示される最初の画像データが画像メモリ４３に格納される。その後も同様にして、残りの１５枚の画像データの処理が終了すると、画像メモリ４３には、図５のＡ〜Ｐの各分割位置に表示される画像データが格納される。」
　
　　《第１実施例（変形例）、図６，図１１》
　(L3)「【００１８】第１の実施例では、撮像素子からのスチル画像信号が、信号処理回路によつてＹ、Ｒ−Ｙ、Ｒ−Ｂの形に変換されて記録媒体に記録されている場合を説明したが、各画素のディジタルデータが、記録媒体にそのまま記録されている場合もあり、この場合には、コンピュータ３００側できめの細かいＲＧＢ変換処理を行い高精細な画像を得ることができる。図６は、撮像素子がマゼンタ（Ｍｇ）、シアン（Ｃｙ）、イェロー（Ｙｅ）のフィルタ配列をしている場合の説明図であり、この場合は、各素子のディジタル信号が、そのまま記録媒体に記録されている。この場合も、１６個単位で画素データがＤＳＰ４６に入力され、ＤＳＰ４６は、ＲＯＭ４７から対応する処理プログラムを選択し、その処理プログラムに基づいて、補色データからＲＧＢデータへの変換処理、平均化処理などを行い、画像メモリ４３の所定のアドレスにデータが格納される。
【００１９】また、第１の実施例では、ＴＶモニタに１６個のマルチ画像を同時に表示する場合を説明したが、この分割数は１６に限らず、ＲＯＭ４７に分割数に応じた処理ブログラムを格納しておいて、必要な分割に対応した動作を可能にできる。さらに、第１の実施例ではＮＴＳＣレートでモニタ表示をする場合を説明したが、例えば１０００×１２００画素数の表示能力のあるコンピュータ表示面への表示を行うことも可能である。この場合は、コントローラ４５の読出しスピード、再生信号処理回路４４の信号帯域、同期信号を、コンピュータ表示面への表示に対応可能に設定しておく必要がある。
【００２０】図１０は、撮影した画像の確認を迅速に行うための再生処理が可能な第１の実施例の変形例の構成を示すブロック図であり、この変形例の撮像素子は図１１に示すような補色フィルタ配列をしており、有効画素数は１２８０（Ｈ）×９６０（Ｖ）であり、各素子に蓄積された電荷は、１０ｂｉｔのＡＤ変換器によってディジタルデータに変換され、図１２に示すように、スタートビットに続いてＹｅのデータＤ１１、次いでＣｙのデータＤ１２と順次、データ入力端子１に画素データが入力される。これらの画素データは、データ入力端子１に接続されたシリアルパラレル変換回路（Ｓ／Ｐ変換回路）２で１０ｂｉｔのパラレルデータに変換され、Ｓ／Ｐ変換回路２に接続された間引き回路６とＳＣＳＩインタフェース回路３とに入力される。そして、ＳＣＳＩインタフェース回路３からは、外部機器のコンピュータからのコマンドに基づいて撮像素子の画素情報は、情報内容及び情報量を変えずにそのまま、パラレルデータ出力端子４からコンピュータなどの外部機器に転送される。また、データ入力端子１から入力される画素データは、スタートビット検出回路５に入力されて、スタートビットの検出が行われる。
　・・・（中略）・・・
　【００２４】このように、第１の実施例の変形例によると、外部機器での処理を行なわずに、迅速に電子スチルカメラの撮影画像を確認することが可能になり、電子スチルカメラの撮影画像データは、そのまま情報内容及び情報量を変化させずに外部機器に転送され、外部機器の性能に応じた適切な処理が可能になる。」
　
　　〈第２実施例，図１４、図１７〉
　(L4)「【００２６】次に、本発明の第２の実施例を図１４乃至図１７を参照して説明する。ここで、図１４は第２の実施例の構成を示すブロック図、図１５は図１４の要部の構成を示すブロック図、図１６は第２の実施例に取り付け可能な表示パネルの説明図、図１７は図１６の動作の説明図である。
【００２７】先ず、ＤＳＰ７６での処理を行わない場合には、入力Ｉ／Ｆ７１から入力されるデータは、入力バッファメモリ７２に一旦格納され、何の処理もされずにデータバス７５を介して、出力Ｉ／Ｆ７４から出力Ｉ／Ｆ７４に接続されたコンピュータ３００′に入力される。
【００２８】また、生データをＹＣデータに変更する場合には、スイッチ７８に生データをＹＣデータに変換する切換設定を行わせることにより、ＤＳＰ７６は、ＤＳＰ７６に接続されたＲＯＭ７９に格納されている処理ブログラムから該変換の処理プログラムを選択する。そして、ＤＳＰ７６は、データバス７５を介してＤＳＰ７６に接続され、入力Ｉ／Ｆ７１から入力され入力バッファメモリ７２に格納されている画素データに対して、ＹＣ変換処理を開始する。・・・（以下略）
【００２９】このようにして、全ての画素データの処理が終了すると、入力バッファメモリ７２には生データが、出力バッファメモリ７３にはＹＣデータが格納された状態となり、コンピュータ３００′は生データとＹＣデータとの何れをも取込むことが可能になる。」
　
　　《第２実施例（ＲＧＢデータへの変換）》
　《ＹＣデータ（メモリ７２）→ＲＧＢデータ（メモリ７３）》
　(L5)「【００３１】そして、ＹＣデータのＲＧＢデータへの変換処理をする場合には、スイッチ７８でＲＧＢ変換処理の設定をすると、同様にしてＲＯＭ７９からはＲＧＢ変換処理の処理プログラムが選択され、ＤＳＰ７６は該処理プログラムに従って、入力バッファメモリ７２から取込んだ画素のＹＣデータに対して、ＲＧＢ変換処理を行って得られたＲＧＢデータを出力バッファメモリ７３に格納する。全ての画素データの処理が終了すると、入力バッファメモリ７２にはＹＣデータが、出力バッファメモリ７３にはＲＧＢデータが格納された状態となり、コンピュータ３００′はＹＣデータとＲＧＢデータとの何れをも取込むことが可能になる。」
　　《生データ（メモリ７２）→ＹＣデータ（メモリ７２）
　　　→ＲＧＢデータ（メモリ７３）、図１７》
　(L6)「【００３２】以上では、ＤＳＰ７６は、入力バッファメモリ７２のデータを入力し、演算処理後のデータを出力バッファメモリ７３に出力する場合を説明したが、例えば生データをＹＣデータに変換し、得られたＹＣデータを入力バッファメモリ７２に格納し、その後入力バッファメモリ７２から読出したＹＣデータをＲＧＢ変換し出力バッファメモリ７３に格納することも可能である。・・・（以下略）
【００３３】また第１の実施例と同様に、図８に示したように、コンピュータ３００′からの補正制御のコマンドにより、ホワイトバランス補正やガンマ補正等の画質向上のための各種補正処理も撮影時のパラメータ等を基にＤＳＰ７６により実行される。
【００３４】ところで第２の実施例において、どのバッファメモリにどのデータが格納され、どのデータが処理中であるかが、表示されるとオペレータにとって、大変便利である。図１６は、このような場合に取り付け可能なＬＥＤ表示パネルであり、この表示パネル３８には、入力バッファメモリと出力バッファメモリの欄が設けてあり、入力バッファメモリの欄には、生データ、圧縮ＹＣデータ、ＹＣデータ、ＲＧＢデータ用のＬＥＤ（Ａ）〜ＬＥＤ（Ｄ）が配置してあり、出力バッファメモリの欄には、ＹＣデータ、ＲＧＢデータ用のＬＥＤ（Ｅ）、ＬＥＤ（Ｆ）が配置してある。図１７に示すように、入力バッファメモリ７２に生データが格納されていると、同図（ア）に示すように対応するＬＥＤ（Ａ）が点灯し、データ転送中は点灯が点滅に変化し、データ転送が終了すると点灯に戻る。また、生データをＹＣデータに変換し、変換したデータを入力バッファメモリ７２に戻す場合は、図１７（イ）に示すように、処理中はＬＥＤ（Ｃ）が点滅し、処理が終了すると同図（ウ）に示すようにＬＥＤ（Ａ）が消灯し、ＬＥＤ（Ｃ）が点灯する。そして、ＲＧＢ変換を行うと同図（エ）に示すように、ＬＥＤ（Ｆ）が点滅し、処理が終了すると同図（オ）に示すように、ＬＥＤ（Ｃ）、ＬＥＤ（Ｆ）が点灯状態になる。この状態で、入力バッファメモリ７２にはＹＣデータが、出力バッファメモリ７３にはＲＧＢデータが格納されていることが示される。」
　(L7)「【００３５】このように、第２の実施例によると、１台のＤＳＰ７６が、ＲＯＭ７９から各種の処理プログラムを選択し、その処理プログラムを実行して、画像処理を行うようにしたために、小型化され低消費電力型の構成で、コンピュータの性能に依存せず各種の画像処理を行うことができると共に、コンピュータから発せられる補正制御のコマンドに基づいて、画質向上の各種の制御が可能になり、高品質のカラー画像を得ることができる。」
　
　(L8)「【００４６】このように、各実施例においては、出力Ｉ／Ｆに接続されるコンピュータは、ＤＳＰ処理プログラムの選択、画像データの取込みなどの画像信号の転送制御に関してのコマンドを発生するだけでなく、上述したようにＤＳＰ（図１で４６、図１４で７６、図１８で２６７）で行われる各処理に対してのパラメータを設定することが可能である。・・（以下略）
【００４７】【００４８】略
【００４９】ところで、コンピュータに入力された画像をプリンタに出力する場合、プリンタの特性に合わせて、諧調補正、色補正、ノイズ除去などの処理を行うことがある。この場合に、実施例によると、これらの処理をコンピュータのＣＰＵと画像信号転送装置内のＤＳＰとに分担処理させることが可能になる。例えば、スチルカメラの感度を高く設定して撮影した画像は、輝度の低い部分に色ノイズが目立つので、図９に示す輝度レベルと色差ゲインの特性に従って、輝度レベルに応じて色差信号のゲインを変換する処理をＤＳＰ７６（図１４の場合）でのＲＧＢ変換処理時に行うようにし、諧調補正、色補正などの細かいパラメータ設定が必要な処理は、出力Ｉ／Ｆ７４に接続されるコンピュータのＣＰＵで行うようにすることが可能になる。
【００５０】
【発明の効果】以上に説明したように、本発明によると、再生装置において、再生手段が、装着された媒体からカラー画像データを再生し、このカラー画像データに対して、、電子機器の発生手段からの制御コマンドにより、制御駆動される補正手段が補正処理を施すので、各種の条件に対応する補正が、再生装置と電子機器との簡単な操作で行われ、高精度の色再現特性で高品質のカラー画像が得られる。」
　
［３］刊行物２記載のもの
　
　ア　「第２実施例のもの」
　前掲(L4)〜(L7)記載の第２実施例のものであって、生画像データに対する処理で、前掲(L8)「プリンタに出力する場合、プリンタの特性に合わせて、諧調補正、色補正、ノイズ除去などの処理」を行うものに着目する。
　実施例２のものは、図１４の７１〜７８の装置（請求項の「再生装置」、前掲(L8)の「画像信号転送装置」）とコンピュータ３００’（請求項の「電子機器」）を備えるもの｛(L4)、図１４｝である。
　
　イ　プリンタの特性に合わせた、諧調補正、色補正、ノイズ除去などの処理
　上記「第２実施例のもの」は、前掲(L8)段落【0049】によれば、「プリンタに出力する場合、プリンタの特性に合わせて、諧調補正、色補正、ノイズ除去などの処理」を、「コンピュータのＣＰＵと画像信号転送装置内のＤＳＰとに分担処理」−例えば、「色ノイズ」防止のための「色差信号のゲイン変換処理をＤＳＰ７６（図１４の場合）での
ＲＧＢ変換処理
ＲＧＢ変換処理
　したがって、再生装置でＲ，Ｇ，Ｂデータに変換され、当該変換中に色ノイズ防止のための色差信号のゲイン変換処理がされ、
　再生装置で変換されたＲ，Ｇ，Ｂデータについて、コンピュータで、諧調補正、色補正などの細かいパラメータ設定が必要な処理がされて、プリンタに与えられると理解できる。
　また、再生装置での上記ゲイン変換処理、コンピュータでの諧調補正・色補正などの細かいパラメータ設定が必要な処理は、プリンタの特性に合わせてする処理であることは、明らかである。
　
　ウ　
ＲＧＢ変換処理
　上記「第２実施例のもの」において、上記イの
ＲＧＢ変換処理
　・前掲(L5)の、ＹＣデータ（メモリ７２）→ＲＧＢデータ（メモリ７３）への変換処理と、
　・前掲(L6)の「生データをＹＣデータに変換し、得られたＹＣデータを入力バッファメモリ７２に格納し、その後入力バッファメモリ７２から読出したＹＣデータをＲＧＢ変換し出力バッファメモリ７３に格納する」｛生データ（メモリ７２）→ＹＣデータ（メモリ７２）→ＲＧＢデータ（メモリ７３）｝変換処理があるところ、
　後者の、について、第２実施例では詳細に説明していないが、
　・第１実施例における、ＹＣデータ→ＲＧＢデータへの変換処理についての、前掲(L2)記載及び、
　・第１実施例の変形例における、生データ→ＲＧＢデータへの変換処理についての前掲(L3)記載、
　・第２実施例では第１実施例と異なり、１６分割しないから、平均化処理、間引き処理をしないこと、
　を踏まえれば、
　「生データ」は、撮像素子がマゼンタ（Ｍｇ）、シアン（Ｃｙ）、イェロー（Ｙｅ）、グリーン（Ｇ）｛段落【0018】の記載ではグリーン（Ｇ）が抜けている｝の補色フィルタ配列をしていて、「各素子のディジタル信号」である「補色データ」が、「そのまま記録媒体に記録されている」形式の信号（図６、段落【0018】）であり、この生データが、
　図４に示される「ＲＧＢデータは、図４に示す」「３プレンからなる画像メモリ４３」に格納されるように変換される（段落【0012】）、すなわち、Ｒ，Ｇ，Ｂの３プレーンのデータに変換されるものと理解される。
　
　エ　電子スチルカメラ、記憶媒体、再生装置（画像信号転送装置）
　上記ア〜ウからすれば、
　記録媒体に記録された「生データ」は、
　マゼンタ（Ｍｇ）、シアン（Ｃｙ）、イェロー（Ｙｅ）、グリーン（Ｇ）の補色フィルタ配列をした撮像素子を有する撮像手段と、
　撮像素子のディジタル信号である補色データを、そのまま記録媒体に記録する記録手段を備えているといい得る「電子スチルカメラ」（段落【0002】【0024】【0049】）を用いて、
　該補色データをそのまま記録媒体に記録したデータといえ、
　また、記録媒体は再生装置に装着されて（請求項、段落【0050】）、記録媒体に記録された該生データは、記録媒体から読み出されるもの（段落【0013】）ということができる。
　
　オ　以上によれば、刊行物２記載のものとして、以下のものを認めることができる。
　
　　〈刊行物２記載のもの〉
ｅ１：マゼンタ（Ｍｇ）、シアン（Ｃｙ）、イェロー（Ｙｅ）、グリーン（Ｇ）の補色フィルタ配列をした撮像素子を有する撮像手段と、
ｅ２：撮像素子のディジタル信号である補色データを、そのまま記録媒体に記録する記録手段と
ｅ３：を備える電子スチルカメラを用いて、各撮像素子のディジタル信号である補色データをそのまま記録した生データ
ｆ１：を読み出して、Ｒ，Ｇ，Ｂの３プレーンのデータに変換する処理であって、変換中に色ノイズ防止のための色差信号のゲイン変換をする、記録媒体が装着される再生装置と、
ｆ２：再生装置で変換されたＲ，Ｇ，Ｂデータについて、諧調補正、色補正などの細かいパラメータ設定が必要な処理を行って、プリンタに与える、コンピュータとからなり、
ｆ３：再生装置での上記ゲイン変換処理、コンピュータでの諧調補正・色補正などの細かいパラメータ設定が必要な処理は、プリンタの特性に合わせてする処理である、もの。
　
［４］対比
　
　上記刊行物２記載のものについて、検討する。
　なお、Ｄ１〜Ｄ３、Ｅは、前掲【第３-２】［１］で付した、上記本願発明４の各構成要件を示す記号である。
　
　ア　生データ（上記ｅ１〜ｅ３）
　
　ア１　電子スチルカメラ
　「電子スチルカメラ」は、記録媒体にディジタル信号である補色データを記録するカメラであるから、「デジタルカメラ」ということができる。
　
　ア２　撮像素子
　ｅ１：「マゼンタ（Ｍｇ）、シアン（Ｃｙ）、イェロー（Ｙｅ）の補色フィルタ配列をした撮像素子」は、Ｄ１「異なる分光感度を有する複数種類の光電変換素子を単一面上に配置した撮像デバイス」といい得るものである。
　
　ア３　生データ
　「生データ」は、「撮像素子のディジタル信号である補色データを、そのまま記録媒体に記録」した補色データ、すなわち、
　各画素のデータが、マゼンタ（Ｍｇ）のデータ、シアン（Ｃｙ）のデータ、イェロー（Ｙｅ）のデータ、グリーン（Ｇ）のデータであるところ、
  通常、モニタは、各画素がＲＧＢ３色を有する形式のデータを受け入れるものであることからすれば、このような形式のデータは、そのままではモニタに再生表示することはできない形式であるといえ、
　したがって、「モニタに再生することを前提とした画像処理が未処理の、各色成分の画素位置が異なる生撮像データ」とも言い得ることは明らかである。
　また、「撮像素子を有する撮像手段により得られた」「生撮像データ」といい得ることも明らかである。
　
　ア４　まとめ
　以上のことから、刊行物２記載のものの上記ｅ１〜ｅ３は、
Ｄ１：異なる分光感度を有する複数種類の光電変換素子を単一面上に配置した撮像デバイスを有する撮像手段と、
Ｄ２：該撮像手段により得られた、モニタに再生することを前提とした画像処理が未処理の、各色成分の画素位置が異なる生撮像データを記録媒体に記録する記録手段と
Ｄ３：を備えたデジタルカメラにおいて前記記録媒体に記録された前記生撮像データ
　ということができる。
　
　イ　再生装置とコンピュータからなるもの（上記ｆ１〜ｆ３）
　
　イ１　ｆ１の「生データを読み出して、Ｒ，Ｇ，Ｂの３プレーンのデータに変換する処理であって、変換中に色ノイズ防止のための色差信号のゲイン変換をする処理」は、
　本願発明１について「【第３-１】［５］相違点の判断（２）イー３」でも前記したと同様、本願明細書で「
プリントに必要な画像処理
　「
プリントに必要な画像処理
　
　イ２　ｆ３の「再生装置での上記ゲイン変換処理、コンピュータでの調補正・色補正などの細かいパラメータ設定が必要な処理」も、「プリンタの特性に合わせてする処理」であるから、「
プリントに必要な画像処理
　
　イ３　以上によれば、再生装置とコンピュータからなるｆ１からｆ３のものは、
　（前記生撮像データ）「を読出し、該生撮像データに対してプリントに必要な画像処理を施して処理済みデータを得る画像処理手段」を備えていて、（電子スチルカメラ、プリンタとは別体の）「画像処理装置」を構成している、といえる。
　
　ウ　以上によれば、刊行物２記載のものは、以下の発明ということができる。
　すなわち、
Ｄ１：異なる分光感度を有する複数種類の光電変換素子を単一面上に配置した撮像デバイスを有する撮像手段と、
Ｄ２：該撮像手段により得られた、モニタに再生することを前提とした画像処理が未処理の、各色成分の画素位置が異なる生撮像データを記録媒体に記録する記録手段と
Ｄ３：を備えたデジタルカメラにおいて前記記録媒体に記録された前記生撮像データ
Ｅ：（前記記録媒体に記録された前記生撮像データ）を読出し、該生撮像データに対してプリントに必要な画像処理を施して処理済みデータを得る画像処理手段を備えたことを特徴とする画像処理装置。
　
　上記発明は、本願の請求項４記載の発明（本願発明４）そのものである。
　すなわち、本願発明４は、上記刊行物２に記載された発明ということができる。
　
［５］まとめ（新規性）
　以上、本願発明４は、上記刊行物２に記載された発明である。
　
【第４】むすび
　以上のとおり、本願の請求項１に係る発明は、上記刊行物１に記載された発明および周知事項・技術常識、刊行物６記載の発明、刊行物４記載の発明に基づいて当業者が容易に発明をすることができたものであるから、特許法第２９条第２項の規定により特許を受けることができない。
　本願の請求項４に係る発明は、上記刊行物１に記載された発明および周知事項・技術常識、刊行物６記載の発明、刊行物４記載の発明に基づいて当業者が容易に発明をすることができたものであるから、特許法第２９条第２項の規定により特許を受けることができない。
　また、本願の請求項４に係る発明は、上記刊行物２に記載された発明であるから、特許法第２９条第１項第３号の規定により特許を受けることができない。
　それ故、本願の他の請求項について検討するまでもなく、本願は拒絶すべきものである。
　
　よって、結論のとおり審決する。